(57)【要約】      （修正有）【課題】相互作用安全警告システムを提供する。【解決手段】相互作用安全警告システムは、観賞者にショーイベント内容を知らせ、観賞者に警告線を越えないように警告する。相互作用安全警告システムは、発光ユニット３、イメージ取得ユニット４、距離演算ユニット５、少なくとも１つのマルチメディア再生ユニット６及び少なくとも１つの警告ユニット７を含む。イメージ取得ユニット及び距離演算ユニットにより観賞者と光学パターンのイメージ変化を取得、計算し、観賞者とショーイベントの間の距離を検出する。観賞者が検出範囲に入ると、マルチメディア形式でショーイベント情報を再生し、観賞者が更にショーイベントの警告線に接近すると、警告ユニットが警告信号を発し、観賞者が警告線を越えないように有効に警告し、観賞者がショーイベントの関連内容を知らせ、ショーイベントの安全を保護し、観賞者とゼロ距離相互作用並びに人的コストの節減を達成する。【選択図】図１
2018014101.tif 000002
【特許請求の範囲】
【請求項１】
空間中の少なくとも１つのショーイベントに適用され、少なくとも観賞者に該ショーイベントの内容を知らせ、該観賞者が警告線を越えないように警告する相互作用安全警告システムであって、該相互作用安全警告システムは、
該ショーイベント箇所に設置され、少なくとも１つの光学パターンを含むビームを該観賞者の身体上に発射し、該光学パターンは、該観賞者と該ショーイベントの間の距離に伴って変化する発光ユニットと、
該発光ユニットと対をなして該ショーイベント箇所に設置され、光学レンズ、及び該光学レンズと接続する感光素子を含み、該光学レンズは、該観賞者と該光学パターンのイメージを取得し、該感光素子上に結像するイメージ取得ユニットと、
該イメージ取得ユニットに電気接続し、該イメージ取得ユニットが取得するイメージを受け取り、該イメージの変化に基づいて該観賞者と該ショーイベントの間の距離値を計算する距離演算ユニットと、
該距離演算ユニットと電気接続し、各ショーイベント箇所に対応設置され、該距離演算ユニットが計算した観賞者と該ショーイベントの間の距離値が第１閾値より小さい時、対応するショーイベントのマルチメディア情報を再生して該観賞者及び該ショーイベントの間の距離値が第２閾値より小さい時、該警告ユニットは、警告信号を発する少なくとも１つの警告ユニットと、
を含む相互作用安全警告システム。
【請求項２】
前記発光ユニットは、レーザ、発光ダイオード又はビームを出力する発光体のうちの１つであり、該光学パターンは、メッシュ、直線、不規則配列パターン又は規則配列パターンのうちの１つであり、且つ該ビームは、可視光又は不可視光のうちの１つである請求項１に記載の相互作用安全警告システム。
【請求項３】
光学レンズは、魚眼レンズ、広角レンズ又は標準レンズのうちの１つであり、該感光素子は、光電結合素子（ＣＣＤ）又は相補型金属酸化膜半導体（ＣＭＯＳ）のうちの１つである請求項１に記載の相互作用安全警告システム。
【請求項４】
前記距離演算ユニットが根拠とするイメージ変化は、該観賞者のイメージ変化又はその上の光学パターンのイメージ変化のうちの１つのイメージ変化又は両者のイメージ変化の組み合わせであり、該観賞者とショーイベントの間の距離値を計算するものであり、該マルチメディア再生ユニットが再生するマルチメディア情報は、２Ｄイメージ、３Ｄイメージ、パノラマイメージ、写真、文字、図面、動画又は音声のうちの一種の態様又は２者以上の組み合わせであり、該警告信号は、ブザー、光線、イメージ、震動又は電気信号のうちの１つの型式又は二者以上の組み合わせにより呈現されるものである請求項１に記載の相互作用安全警告システム。
【請求項５】
前記発光ユニットは、更にフラッシュ式光源であり、該フラッシュ式光源のフラッシュ頻度は、該イメージ取得ユニットがイメージを取得する頻度と同じであり、該距離演算ユニットは、更に、該イメージ取得ユニットの取得の前後のイメージの差異を対比でき、該光学パターンの変化を判断する請求項１に記載の相互作用安全警告システム。
【発明の詳細な説明】
【技術分野】
【０００１】
本発明は、相互作用安全警告システムに関し、特に、ショーイベント場所に適用され、ショーイベント内容を観賞者に知らせ、観賞者に越えてはならない警告線を警告する相互作用安全警告システムに関する。
【背景技術】
【０００２】
ショーイベントは、様々な空間展示行為又は行為が空間で呈現される態様であり、従来の静的な芸術品の展覧、科学展覧、工商展覧又は動的な演劇、コンサート等は、何れもショーイベントと称する。社会が日々発達している今日において、益々多くの人がショーイベントに参加することで生活品質及び充実な関連知識を向上させている。従来のショーイベント、例えば、静的な芸術品の展覧又は工業商業の展覧等の大部分は、ショーイベントの周辺に文字又は映像音声を用いた方式で実際に人が直接ショーイベントの関連内容を参観者に知らせ、観賞者と相互作用の主な目的を達成している。
【０００３】
しかしながら、展覧期間にショーイベントを観賞する人がいない時も、映像音声態様を放映するショーイベント内容の紹介は、依然として持続的に放映され、これは、コスト及び資源浪費の欠点があり、実際の人がショーイベントの内容を紹介する媒介の方式も人的コストを浪費する悩みがある。また、人的コストは上昇を続ける今日において、価値が高い展覧品は更に多くのセキュリティ人員により観賞者が展覧品に過度に近づかないように誘導する必要があり、多くの人的コストを消費し、且つセキュリティ人員は、観客が多く混雑している時、各コーナーの観賞者の秩序を有効に兼ね備えさせることができなくなる。
【先行技術文献】
【特許文献】
【０００４】
【特許文献１】特表2006-514348号公報
【発明の概要】
【発明が解決しようとする課題】
【０００５】
本発明の目的は、相互作用安全警告システムを提供することにあり、特に、ショーイベントの場所に適用し、ショーイベントの内容を観賞者に知らせ、観賞者が警告線を越えるないように警告する相互作用安全警告システムであり、イメージ取得ユニット及び距離演算ユニットにより観賞者のイメージの変化及び/又は発光ユニットが発する光学パターンの観賞者身体上のイメージの変化を取得、計算し、観賞者とショーイベント間の距離を検出し、観賞者が検出範囲に入る時、マルチメディア形式でショーイベントの関連情報を有効に放映し、観賞者が更に接近してショーイベントの警告線を触れる時、警告ユニットにより警告信号を観賞者が警告線を超えないように発し、観賞者へショーイベントの関連内容を知らせ、ショーイベントの安全を保護する目的を達成し、観賞者との距離が相互作用の機能を達成し、人的コストを節減する利点を得る。
【課題を解決するための手段】
【０００６】
上記の目的を達成するため、本発明が提示する相互作用安全警告システムは、空間中の少なくとも１つのショーイベントに適用され、少なくとも観賞者にショーイベントの内容を知らせ、観賞者が警告線を越えないように警告し、本発明の相互作用安全警告システムは、発光ユニット、イメージ取得ユニット、距離演算ユニット、少なくとも１つのマルチメディア再生ユニット、及び少なくとも１つの警告ユニットを少なくとも含み、発光ユニットは、ショーイベント箇所に設置され、発光ユニットは、少なくとも１つの光学パターンを含むビームを観賞者に発射し、そのうち、光学パターンは、観賞者及びショーイベントの間の距離に伴って変化し、イメージ取得ユニットは、発光ユニットと対をなしてショーイベント箇所に設置され、イメージ取得ユニットは、光学レンズ、及び光学レンズと接続する感光素子を含み、そのうち、光学レンズは、観賞者と光学パターンのイメージを取得して感光素子上に結像し、距離演算ユニットは、イメージ取得ユニットに電気接続し、距離演算ユニットは、イメージ取得ユニットが取得したイメージを受け取り、イメージ変化に基づき、観賞者とショーイベントの間の距離を計算し、少なくとも１つのマルチメディア再生ユニットは、距離演算ユニットに電気接続し、各マルチメディア再生ユニットは、各ショーイベント箇所に対応設置され、距離演算ユニットが計算した観賞者とショーイベントの間の距離値が第１閾値より小さい時、マルチメディア再生ユニットは、対応するショーイベントのマルチメディア情報を再生して観賞者にショーイベントの内容を知らせ、少なくとも１つの表示ユニットは、距離演算ユニットに電気接続し、各警告ユニットは、各ショーイベント箇所に対応設置され、距離演算ユニットが計算した観賞者及びショーイベントの間の距離値が第２閾値より小さい時、警告ユニットは、警告信号を発する。
【０００７】
前記の相互作用安全警告システムにおいて、発光ユニットは、レーザ、発光ダイオード又はビームを出力する発光体のうちの一種の装置である。
【０００８】
前記の相互作用安全警告システムにおいて、光学パターンは、メッシュ、直線、不規則配列パターン又は規則配列パターンのうちの一種のパターンである。
【０００９】
前記の相互作用安全警告システムにおいて、ビームは、可視光又は不可視光のうちの一種の態様である。
【００１０】
前記の相互作用安全警告システムにおいて、光学レンズは、魚眼レンズ、広角レンズ又は標準レンズのうちの一種の装置である。
【００１１】
前記の相互作用安全警告システムにおいて、感光素子は、光電結合素子(Charge-Coupled Device，CCD)又は相補型金属酸化膜半導体(Complementary Metal-Oxide-Semiconductor，CMOS)のうちの一種の装置である。
【００１２】
前記の相互作用安全警告システムにおいて、距離演算ユニットが根拠とするイメージ変化は、観賞者のイメージ変化又はその上の光学パターンのイメージ変化のうちの一種のイメージ変化又は両者のイメージ変化の組み合わせであり、観賞者とショーイベントの間の距離値を計算するものである。
【００１３】
前記の相互作用安全警告システムにおいて、マルチメディア再生ユニットが再生するマルチメディア情報は、２Ｄイメージ、３Ｄイメージ、パノラマイメージ、写真、文字、図面、動画又は音声のうちの一種の態様又は２者以上の組み合わせである。
【００１４】
前記の相互作用安全警告システムにおいて、警告信号は、ブザー、光線、イメージ、震動又は電気信号のうちの一種の型式又は二者以上の組み合わせにより呈現されるものである。
【００１５】
前記の相互作用安全警告システムにおいて、該発光ユニットは、更に、フラッシュ式光源であることができ、フラッシュ式光源のフラッシュ頻度は、イメージ取得ユニットがイメージを取得する頻度と同じであり、距離演算ユニットは、更に、イメージ取得ユニットの取得の前後のイメージの差異を対比でき、光学パターンの変化を判断する。
【発明の効果】
【００１６】
これにより、本発明の相互作用安全警告システムは、イメージ取得ユニット及び距離演算ユニットにより観賞者のイメージ変化及び／又は発光ユニットが発射する光学パターンの観賞者身体上のイメージ変化を取得し、計算し、観賞者及びショーイベントの間の距離を検出し、観賞者が検出範囲に入る時、マルチメディア形式でショーイベントの関連情報を有効に放映し、観賞者が更に近づいてショーイベントの警告線に接触する時、警告ユニットにより警告信号を発し、観賞者が警告線を越えないように警告し、観賞者にショーイベントの関連内容を知らせ、ショーイベントの安全を保護する目的を達成し、観賞者との距離の相互作用の機能並び人的コストの節減の利点を達成する。また、本発明の相互作用安全警告システムは、光学レンズによりショーイベントの観賞者のイメージ変化及びその身体上の光学パターンのイメージ変化を取得し、距離演算ユニットによりイメージ変化の程度に基づいて観賞者とショーイベントの間の距離値を計算し、距離値が所定の閾値より小さい時、マルチメディア再生ユニットを起動し、ショーイベントの関連内容を再生して観賞者に知らせ、ショーイベントに必要な人力を有効に節減し、資源コストを節減する利点を達成する。また、本発明の相互作用安全警告システムは、様々な空間展示行為又は行為が空間で呈現するショーイベントに適用でき、観賞者とショーイベントの間の距離に基づき、平面、立体、環境イメージ、文字、図面、動画又は音声等の伏木でショーイベントの主題、目的等の関連内容を観賞者に知らせ、簡単かつ直接に呈現する方式でショーイベントと観賞者が相互作用を行う目的を達成する。最後に、本発明の相互作用安全警告システムは、イメージ取得不識で観賞者がショーイベントの警告線を越えているか否かを検出し、観賞者とショーイベントの間の距離を計算し、観客が混雑しているショーイベント会場又は博物館の展覧において、イメージ検出のモードで人工警告の方式に置き換え、観賞者の接近、接触、更には、ショーイベントを盗む行為を禁止する新規的なコレクション保護の安全警告システムである。
【図面の簡単な説明】
【００１７】
【図１】本発明の相互作用安全警告システムの好適実施例のシステムアーキテクチャブロック図である。
【図２】本発明の相互作用安全警告システムの好適実施例のシステム配置説明図である。
【図３】本発明の相互作用安全警告システムの好適実施例のマルチメディア再生ユニットの動作説明図である。
【図４】本発明の相互作用安全警告システムの好適実施例の警告ユニットの動作説明図である。
【発明を実施するための形態】
【００１８】
本発明の技術特徴、内容、利点及びそれが達成する効果を分かり易くするため、本発明を、図面を合わせて、実施例の表現形式で以下に詳細に説明するが、そのうちに使用する図面の主旨は、説明及び明細書の補助とするものであいｒ、本発明の実施後の実際の割合及び精確な配置とするものではなく、故に添付図面の割合及び配置関係は、本発明の実際の実施上の権利範囲を解釈、局限するものではない。
【００１９】
先ず、図１及び図２を参照し、それは、本発明の相互作用安全警告システムの好適実施例のシステムアーキテクチャブロック図、及びシステム配置説明図であり、そのうち、本発明の相互作用安全警告システムは、空間中の少なくとも１つのショーイベント１に適用され、少なくとも観賞者２にショーイベント１の内容を知らせ、観賞者２が警告線を越えないように警告し、そのうち、ショーイベント１は、これに制限するものではないが、様々な空間展示行為又は行為の空間における呈現等のイベントを含み、本発明の１つの好適実施例において、ショーイベント１は、静的な芸術品の展示であり、本発明の相互作用安全警告システムは、少なくとも以下を含む。
【００２０】
発光ユニット３であり、ショーイベント１に設置され、発光ユニット３は、少なくとも１つの光学パターン３１１を含むビーム３１を観賞者２身体上に発射し、そのうち、光学パターン３１１は、観賞者２及びショーイベント１の間の距離に従って変化する。また、発光ユニット３は、レーザ、発光ダイオード又はビームを出力する発光体等のうちの１種の装置である。また、発光ユニット３が発射するビーム３１が含む少なくとも１つの光学パターン３１１は、メッシュ、直線、不規則配列パターン又は規則配列パターンのうちの一種のパターンであり、且つビーム３１は、可視光又は不可視光のうちの一種の態様である。図３を併せて参照し、本発明の相互作用安全警告システムの好適実施例のマルチメディア再生ユニットの動作説明図であり、そのうち、発光ユニット３は、不可視光のビーム３１を発射するレーザ装置であり、且つビーム３１は、メッシュ態様の光学パターン３１１を含み、光学パターン３１１は、観賞者２の身体上に照射することによって状態の変化を発生する。
【００２１】
イメージ取得ユニット４は、発光ユニット３と対をなしてショーイベント１の箇所に設置され、イメージ取得ユニット４は、光学レンズ４１、及び光学レンズ４１と接続する感光素子４２を含み、そのうち、光学レンズ４１は、観賞者２と光学パターン３１１のイメージを取得して感光素子４２上に結像する。また、光学レンズ４１は、魚眼レンズ、広角レンズ又は標準レンズのうちの一種の装置である。また、感光素子４２は、光電結合素子(CCD)又は相補型金属酸化膜半導体(CMOS)のうちの一種の装置である。本発明の好適実施例において、魚眼レンズを呈現する光学レンズ４１は、観賞者２と光学パターン３１１のイメージを取得し、光電結合素子（CCD）の態様の感光素子４２上に結合する。
【００２２】
距離演算ユニット５であり、イメージ取得ユニット４に電気接続し、距離演算ユニット５は、イメージ取得ユニット４が取得したイメージを受け取り、イメージ変化に基づき、観賞者２とショーイベント１の間の距離値を計算する。また、距離演算ユニット５が根拠とするイメージ変化は、観賞者２のイメージ変化又はその上の光学パターン３１１のイメージ変化のうちの一種のイメージ変化又は両者のイメージ変化の組み合わせであり、観賞者２とショーイベント１の間の距離値を計算する。再度、図３を参照し、そのうち、観賞者２がショーイベント１に入り、距離演算ユニット５は、光学パターン３１１の形状の変化の態様に基づいて観賞者２とショーイベント１の間の距離値を計算する。
【００２３】
少なくとも１つのマルチメディア再生ユニット６であり、距離演算ユニット５に電気接続し、各マルチメディア再生ユニット６は、各ショーイベント１の箇所に対応設置され、距離演算ユニット５が計算する観賞者２とショーイベント１の間の距離値が第１閾値より小さい時、マルチメディア再生ユニット６は、対応するショーイベントのマルチメディア情報を再生し、観賞者２にショーイベントの内容を知らせる。また、マルチメディア再生ユニット６が再生するショーイベント１に関するマルチメディア情報は、２Ｄイメージ、３Ｄイメージ、パノラマイメージ、写真、文字、図面、動画又は音声等のうちの一種の態様又は二者以上の組み合わせである。図３が示す好適実施例において、距離演算ユニット５が検出する観賞者２とショーイベント１の間の距離値が第１閾値より小さい時、マルチメディア再生ユニット６は、ショーイベント１の映像音声態様に関するマルチメディア情報６１を再生して観賞者２にショーイベント１の内容を知らせる。
【００２４】
少なくとも１つの警告ユニット７は、距離演算ユニット５に電気接続し、各警告ユニット７は、各ショーイベント１の箇所に対応設置され、距離演算ユニット５が計算する観賞者２と該ショーイベント１の間の距離値が第２閾値より小さい時、警告ユニット７は、警告信号を発する。また、警告信号は、ブザー、光線、イメージ、震動又は電気信号のうちの一種のタイプ又は２者以上の組み合わせにより呈現され、観賞者２がショーイベント１に接近し過ぎないように警告する。図４を併せて参照し、それは、本発明の相互作用安全警告システムの好適実施例の警告ユニットの動作説明図であり、観賞者２が事前に設定された警告線を越える時、スピーカの態様で呈現する警告ユニット７は、ブザー形式の警告信号を発し、観賞者２がショーイベント１に接近し過ぎないように警告するか、作業員に観賞者２が警告線に接近していることを通知して対処に向かわせる。しかしながら、注意すべき点として、上記本発明の相互作用安全警告システムは、１つのショートイベント１に対応する数量は、説明に便利であるためであって、本発明をこれに制限するものではなく、且つ当業者は、イメージ取得ユニット４の光学レンズ４１が取得するイメージ範囲が複数のショーイベント１の数量をカバーできるものであることを分かることができ、発光ユニット３、イメージ取得ユニット４、及び距離演算ユニット５を使用することができ、ショーイベント１の数量に対応する複数のマルチメディア再生ユニット６及び警告ユニット７がこれを完成し、本発明の実際の実施に影響するものではない。
【００２５】
また、発光ユニット３は、フラッシュ式光源であることができ、フラッシュ式光源のフラッシュ周波数は、イメージ取得ユニット４がイメージを取得する周波数に等しく、距離演算ユニット５は、イメージ取得ユニット４が取得する前後イメージの差異を更に対比し、光学パターン３１１の変化を判断することができる。本発明のもう１つの好適実施例において、発光ユニット３は、点滅の態様を呈するフラッシュ式光源であり、そのフラッシュの周波数は、イメージ取得ユニット４がイメージを取得する周波数と同じであり、即ち、発光ユニット３が光学パターン３１１のビーム３１を有して点灯する時、イメージ取得ユニット４は、観賞者２及び光学パターン３１１のイメージを取得し、距離演算ユニット５に伝送し、次の瞬間の発光ユニット３が消滅した後、イメージ取得ユニット４が再度イメージを取得し、距離演算ユニット５に伝送し、距離演算ユニット５は、２つの前後時間に取得したイメージを差し引きして対比の動作を行い、前後２つのイメージの差は、光学パターン３１１の存在の有無のみにあるので、前後２つのイメージを差し引きした後、単独で光学パターン３１１のイメージのみを残すことができ、距離演算ユニット５は、光学パターン３１１の形状の変化の態様を更に容易に判断でき、ショーイベント１の前方の観賞者２が光学パターン３１１の形状変化の態様を容易に判断でき、ショーイベント１前方の観賞者２が起こす光学パターン３１１の形状変化の態様を確定することができる。
【００２６】
続いて、本発明の目的、特徴及び達成しようとする効果を更に理解させるため、以下に本発明の相互作用安全警告システムの具体的実際の実施例を挙げ、更に本発明の相互作用安全警告システムが実際に応用可能な範囲を証明するが、如何なる形式によっても本発明の範囲を制限しようとするものではない。主催者が空間にショーイベント１を設置する時、本発明の相互作用安全警告システムを利用し、少なくとも観賞者２にショーイベント１の関連内容を知らせ、ショーイベント１の安全の目的を保護し、観賞者２とゼロ距離の相互作用の機能並びに人的コストを節減する利点を達成する。先ず、静態芸術品のショーイベント１箇所に発光ユニット３を設置し、そのうち、発光ユニット３は、少なくとも１つの光学パターン３１１を含むビーム３１を観賞者２の身体上に発射し、そのうち、光学パターン３１１は、観賞者２とショーイベント１の間の距離に伴って変化する。続いて、イメージ取得ユニット４を準備し、そのうち、イメージ取得ユニット４は、光学レンズ４１、及び光学レンズ４１と接続する感光素子４２を含み、そのうち、光学レンズ４１は、観賞者２と光学パターン３１１のイメージを取得し、感光素子４２上に結像する。続いて、距離演算ユニット５を準備し、そのうち、距離演算ユニット５は、イメージ取得ユニット４に電気接続し、距離演算ユニット５は、イメージ取得ユニット４が取得するイメージを取得し、イメージの変化に基づいて観賞者２とショーイベント１の間の距離値を計算する。その後、少なくとも１つのマルチメディア再生ユニット６を準備し、そのうち、マルチメディア再生ユニット６は、距離演算ユニット５に電気接続し、各マルチメディア再生ユニット６は、各ショーイベント１箇所に対応設置され、距離演算ユニット５が計算する観賞者２とショーイベント１の間の距離値が第１閾値より小さい時、マルチメディア再生ユニット６は、対応するショーイベント１のマルチメディア情報を再生し、観賞者２にショーイベント１の内容を知らせる。最後に、少なくとも１つの警告ユニット７を準備し、そのうち、少なくとも１つの警告ユニット７は、演算距離ユニット５に電気接続し、各警告ユニット７は、各ショーイベント１箇所に対応設置され、距離演算ユニット５が計算する観賞者２及び該ショーイベント１の間の距離値が第２閾値より小さい時、警告ユニット７は、警告信号を発する。本発明の相互作用安全警告システムは、イメージ取得ユニット４及び距離演算ユニット５により、観賞者２のイメージの変化及び/又は発光ユニット３が発射する光学パターン３１１の観賞者２身体上のイメージの変化を取得、計算し、マルチメディア形式でショーイベント１の関連情報を有効に再生し、観賞者２が更に接近し、ショーイベント１の警告線に触れる時、警告ユニット７により警告信号を発して観賞者２が警告線を越えないように有効に警告し、観賞者２にショーイベント１の関連内容を知らせ、ショーイベント１の安全を保護する目的を達成し、観賞者２とゼロ距離相互作用の機能並びに人的コストを節減する利点を達成する。
【００２７】
以上の説明は、本発明の好適な実施形態を示したものであり、本発明を限定するものではない。従って、本発明の主旨を逸脱しない範囲における修飾または変更は、全て、本発明の保護範囲に含まれる。
【符号の説明】
【００２８】
１  ショーイベント
２  観賞者
３  発光ユニット
３１  ビーム
３１１  光学パターン
４  イメージ取得ユニット
４１  光学レンズ
４２  感光素子
５  距離演算ユニット
６  マルチメディア再生ユニット
６１  マルチメディア情報
７  警告ユニット
【図１】
2018014101.tif 000003
【図２】
2018014101.tif 000004
【図３】
2018014101.tif 000005
【図４】
2018014101.tif 000006